(57)【要約】【課題】遊技機の盤面、枠、液晶表示部、ガラス面、盤面の下部或いは遊技コンテンツなどに広告表現、商品、商品パッケージなどを表示し、遊技機に広告機能を保持させること。【解決手段】遊技機を、遊技機本体１と、遊技機本体の内部に配設された遊技機能部と、遊技機本体或いはその枠体２に配置され遊技の内容を表示する表示手段とを備え、遊技機本体の前面或いは前記表示手段３ならびに遊技コンテンツに広告または広告関連要素等を表示する。これにより、遊技機は、その遊技に関係する事柄のみならず、広告などの情報項目が、遊技を楽しむ者の目に届くことになり、伝達効率のよい情報提供を行なうことができる。【選択図】図１
2004188096.tif 000002
【特許請求の範囲】
【請求項１】
遊技機本体と、遊技機本体の内部に配設された遊技機能部と、遊技機本体の前面に配置され遊技の内容を表示する表示手段とを備え、遊技機本体の前面或いは前記表示手段に広告または広告関連要素等を表示することを特徴とする広告または広告関連要素等を用いた遊技機。
【請求項２】
前記表示手段には映像で表示され得るコンテンツが供給され、このコンテンツとして広告或いは広告関連要素等が表示されるか、または映像コンテンツの中に部分的に広告または広告関連要素等が組み入れられていることを特徴とする請求項１記載の広告または広告関連要素等を用いた遊技機。
【発明の詳細な説明】
【０００１】
【発明の属する分野】
本発明は、広告または広告関連要素等を掲載し、或いは広告または広告関連要素等からなるコンテンツを取り込んで表示することが可能な広告表示遊技機に関するものである。
【０００２】
【従来技術】
従来からある遊技機としては、例えばパチンコ機械を例にとると、遊技機本体の盤面には複数のランプが取り付けられ、それぞれのランプは種々の色に着色され、それぞれの色に発光したり点滅したりするようになっている。また、この発光および点滅に加えて音楽や各種の効果音を発生させる装置を組み込み、光と音を同時に発生させることにより、顧客である遊技者を外界と隔離させ、遊技者の気分を高揚させるようになっている。その他の遊技機をとってみてもランプを点滅させたり効果音を鳴動させたりする点については、ほぼ同様である（例えば、特許文献１参照）。
【特許文献１】特開２００２−２４８２３７
【０００３】
【発明が解決しようとする課題】
しかしながら、かかる従来の遊技機にあっては、遊技者をその遊技に没頭させ、或いは繰り返し遊技を続けようとする気持ちにさせる効果はあっても、遊技者に何らかの役に立つ情報を与えたり、或いは情報提供者にとってビジネス上の効果なり利益なりを与えることはない。また、ランプの点滅や音声を発することにより遊技者の注意が遊技機本体の盤面に向かっているにも関わらず、この盤面には遊技内容の表示がなされるのみであり、しかも盤面以外の部分（例えば枠部分）には何も表示がなされておらず、視覚的には盤面などを充分に活用していない不具合があった。
【０００４】
本発明は上記従来の不具合に鑑みてなされたもので、その目的は、遊技機の盤面、枠、液晶表示部、ガラス面、盤面の下部などに広告表現、商品、商品パッケージなどを表示し、遊技機に広告機能を保持させることである。
【０００５】
【課題を解決するための手段】
上記課題を解決するために本発明は、遊技機を、遊技機本体と、遊技機本体の内部に配設された遊技機能部と、遊技機本体の前面に配置され遊技の内容を表示する表示手段とを備え、遊技機本体の前面或いは前記表示手段ならびに遊技コンテンツに広告または広告関連要素等を表示することを要旨とするものである。また、表示手段には遊技コンテンツが供給され且つ表示可能とし、この遊技コンテンツとして広告或いは広告関連要素等が表示される（すなわち、遊技コンテンツそのものがＣＭ映像のような広告関連要素等である）か、または遊技コンテンツの中に部分的に広告または広告関連要素等が組み入れられている（すなわち、遊技コンテンツは広告以外の何らかのストーリー性を持つもので、その中に広告または広告関連要素等が含まれる）ようにすることもできる。かかる構成により、遊技機は、その遊技に関係する事柄のみならず、広告などの情報項目が、遊技を楽しむ者の目に届くことになり、伝達効率のよい情報提供を行なうことができるという利点乃至は効果をもたらす。
【０００６】
【発明の実施の形態】
（第１の実施の形態）
以下、本発明の実施の形態について、添付の図面を用いて説明する。図１は、本発明の一実施の形態における広告または広告関連要素等を用いた遊技機を示す正面図である。図１には遊技機としてパチンコ機械が例示されている。図１において、符号１はパチンコ機械の本体部、２は枠体である。本体部１には、パチンコ機械としての機能を発揮するため、例えばクギ、パチンコ玉が入るポケット、パチンコ玉を打ち出す打撃装置等の各種機能部材が設けられている。ここでパチンコ機械に通常必要な物として設けられている機能部材としては、当たり玉が入るポケット５と落下する玉が接触すると回転する風車６と、大当たり時の入賞口７と、パチンコ玉を弾き操作する操作ダイヤル８と、灰皿９と、皿１０と、出玉受皿１１と、当たり絵柄説明部１２、スタートチャッカー１３などがある。また本体部１には遊技の内容を表示する表示手段としての表示部３が設けられている。
【０００７】
さらに、本体部１には、本発明の特徴である、パチンコ機械或いはパチスロ機械等の本体部１の前面或いは前記表示部３に広告または広告関連要素等を表示するために、商品の名称や略称、商品パッケージ、商品キャラクタ、商品や企業の内容或いは特徴を表すロゴマークならびにＣＭ、プロモーション映像、ポスター等の広告自体の伝達要素４が表示され、或いは取り付けられている。ここで、伝達要素４を表示するとは、本体部１または枠体２或いは表示部３に広告に関する内容を表す商品の名称、キャラクタ、ロゴマーク等を文字、絵柄などの形で描く、或いはＣＭやポスター等の広告そのものを掲載することを指す。また、上記商品の名称、キャラクタ、ロゴマーク等を文字、絵柄などで描いたり、或いはＣＭやポスター等の広告そのものが掲載される場所は本体部１の基板部分でもよいし、前面のガラスに描いてもよく、また、前面のガラスに浮き上がるように描いてもよい。
【０００８】
また、上記伝達要素４を本体に表示するだけに止まらず、本体部１や枠体２そのものの形状や構造を変化させる（いわゆる、デザイン化）することにより利用者に商品やサービスの価値を認識させるようにすることも考えられる。また、上記のような広告または広告関連要素等の表示は枠体２に対して施すことも可能である。このデザイン化の例としては、例えばパチンコ玉が入るポケット５を、図２に示すようにカップラーメンの容器構造にデザイン化し、そのデザイン化されたポケットの表面に広告主のカップラーメンの容器と同じ意匠をあしらうといったことが相当する。図２は、そのような一事例を拡大図として表したものである。このようにすると、パチンコ機械のポケット５は単に当たり玉を受け入れる穴という機能だけでなく、上述の説明で述べてきたような広告の伝達要素４としての機能を併せもつことになる。また、枠体２を動物が大きな口を開けた構造に作製し、本体部１に広告主の動物園のロゴマークを描くといったことが相当する。この場合、広告主としてはその動物が活躍する映画の配給会社であってもよい。
【０００９】
さらに、上記表示部３は、基本的にはパチンコ遊技に際してリーチアクションが出たり、当たりが出たときに「アタリ」「オメデトウ」などのキャッチフレーズを表示したり、光を点滅させたり音響効果を効かせて祝福効果を挙げる機能を発揮するものである。しかし、本実施の形態においては、上記機能に加えて、上記商品の名称や略称、商品パッケージ、商品キャラクタ、商品や企業の内容或いは特徴を表すロゴマークならびにＣＭ、プロモーション映像、ポスター等の広告そのものなどの伝達要素４を映像として流すようになっている。つまり、広告または広告関連要素等を用いて遊技コンテンツを作るようになっている。遊技コンテンツは表示部３に供給され映像などの形で表示される。この遊技コンテンツとしては、広告或いは広告関連要素等が表示される（すなわち、遊技コンテンツそのものがＣＭ映像のような広告或いは広告関連要素等である）か、または遊技コンテンツの中に部分的に広告または広告関連要素等が組み入れられている（すなわち、例えば遊技コンテンツは広告以外の何らかのストーリー性を持つもので、そのコンテンツの中に広告関連要素等が含まれる）ようにすることもできる。
【００１０】
表示部３は、例えば液晶パネル（画面）により構成し、上記伝達要素４の他に何らかのストーリー映像や番組を流してもよい。これらのストーリー映像としてはコマーシャル映像であってもよいし、何らかの物語性のある番組であってもよい。また、本体部１にスピーカを取り付け、音声によりコマーシャルを流すようにしてもよい。
【００１１】
このように、パチンコ機械などの遊技機本体の前面或いは前記表示手段に広告または広告関連要素等を表示するようにすることにより、遊技機は、遊技を行なう道具としての機能に加えて広告媒体としての機能を兼備することになり、広告または広告関連要素等の情報項目が、遊技を楽しむ者の目に届くことになり、伝達効率のよい広告やプロモーション、或いは情報提供を行なうことができるという利点をもたらす。
【００１２】
なお、上述の説明では遊技機としてパチンコ機械を取り上げて説明したが、これは単なる一例である。遊技機としてはこの他にもパチスロ機械やスマートボール機械などがあり、さらに、将来、同様の使用目的、機能を持った遊技機が提案される可能性がある。本発明はそれらのすべての遊技機に適用することができるものである。
【００１３】
【発明の効果】
以上の説明から明らかなように、本発明によれば遊技機本体の前面或いは遊技機に設けられた表示手段に広告または広告関連要素等を表示するようにしたため、遊技機は、その遊技に関係する事柄のみならず、広告などの情報項目が、遊技を楽しむ者の目に届くことになり、伝達効率のよい広告やプロモーション、或いは情報提供を行なうことができるという効果が得られる。
【図面の簡単な説明】
【図１】本発明の一実施の形態における広告または広告関連要素等を用いた遊技機を示す正面図
【図２】前記実施の形態においてポケットを広告要素をしてデザイン化した事例を示す図１中ＩＩ部の拡大正面図
【符号の説明】
１  本体部
２  枠体
３  表示部
４  伝達要素
５  ポケット
６  風車
７  大当たり時の入賞口
８  操作ダイヤル
９  灰皿
１０  皿
１１  出玉受皿
１２  当たり絵柄説明部
１３  スタートチャッカー
【図１】
2004188096.tif 000003
【図２】
2004188096.tif 000004
【手続補正書】
【提出日】平成14年12月26日(2002.12.26)
【手続補正１】
【補正対象書類名】明細書
【補正対象項目名】０００５
【補正方法】変更
【補正の内容】
【０００５】
【課題を解決するための手段】
上記課題を解決するために本発明は、遊技機を、遊技機本体と、遊技機本体の内部に配設された遊技機能部と、遊技機本体の前面に配置され遊技の内容を表示する表示手段とを備え、遊技機本体の前面或いは前記表示手段ならびに遊技コンテンツに広告または広告関連要素等を表示することを要旨とするものである。また、表示手段には遊技コンテンツが供給され且つ表示可能とし、この遊技コンテンツとして広告或いは広告関連要素等が表示される（すなわち、遊技コンテンツそのものがＣＭ映像のような広告或いは広告関連要素等である）か、または遊技コンテンツの中に部分的に広告または広告関連要素等が組み入れられている（すなわち、遊技コンテンツは広告以外の何らかのストーリー性を持つもので、その中に広告または広告関連要素等が含まれる）ようにすることもできる。かかる構成により、遊技機は、その遊技に関係する事柄のみならず、広告などの情報項目が、遊技を楽しむ者の目に届くことになり、伝達効率のよい情報提供を行なうことができるという利点乃至は効果をもたらす。


【手続補正２】
【補正対象書類名】明細書
【補正対象項目名】０００９
【補正方法】変更
【補正の内容】
【０００９】
さらに、上記表示部３は、基本的にはパチンコ遊技に際してリーチアクションが出たり、当たりが出たときに「アタリ」「オメデトウ」などのキャッチフレーズを表示したり、光を点滅させたり音響効果を効かせて祝福効果を挙げる機能を発揮するものである。しかし、本実施の形態においては、上記機能に加えて、上記商品の名称や略称、商品パッケージ、商品キャラクタ、商品や企業の内容或いは特徴を表すロゴマークならびにＣＭ、プロモーション映像、ポスター等の広告そのものなどの伝達要素４を映像として流すようになっている。つまり、広告または広告関連要素等を用いて遊技コンテンツを作るようになっている。遊技コンテンツは表示部３に供給され映像などの形で表示される。この遊技コンテンツとしては、広告或いは広告関連要素等が表示される（すなわち、遊技コンテンツそのものがＣＭ映像のような広告或いは広告関連要素等である）か、または遊技コンテンツの中に部分的に広告または広告関連要素等が組み入れられている（すなわち、例えば遊技コンテンツは広告以外の何らかのストーリー性を持つもので、そのコンテンツの中に広告または広告関連要素等が含まれる）ようにすることもできる。